(57)【要約】【課題】全体の構成が簡素であって、かつ、一方の面からの出射光の光量と、他方の面からの出射光の光量と、が異なるバックライト装置を提供する。【解決手段】バックライト装置１は、反射シート１１と、矩形板状をなす第一の導光板１０ａと、第一の導光板１０ａと等しい厚さの矩形板状なすとともに、反射シート１１を、第一の導光板１０ａとともに挟み込むように配置される第二の導光板１０ｂと、第一の導光板１０ａ及び第二の導光板１０ｂの端部側面に対向するように、これら端部側面の延在方向に沿って配列される複数の発光素子１２１ａ〜１２ｎａ、１２１ｂ〜１２ｎｂ（ｎは２以上の整数）と、複数の発光素子１２１ａ〜１２ｎａ、１２１ｂ〜１２ｎｂ全ての発光量を一括で制御する駆動回路と、を備え、複数の発光素子１２１ａ〜１２ｎａ、１２１ｂ〜１２ｎｂは、端部側面の延在方向に平行な複数の異なる軸に沿って配列される。【選択図】図１
2014207123.tif 000002
【特許請求の範囲】
【請求項１】
光反射性を有する反射シートと、
透光性を有し、矩形板状をなす第一の導光板と、
透光性を有し、矩形板状なすとともに、前記反射シートを、前記第一の導光板とともに挟み込むように配置される第二の導光板と、
前記第一の導光板及び前記第二の導光板の端部側面に対向するように、これら端部側面の延在方向に沿って配列される複数の発光素子と、
前記複数の発光素子の発光量を制御する駆動回路と、
を備え、
前記複数の発光素子は、
前記第一の導光板の端部側面から入射する入射光の光量と、前記第二の導光板の端部側面から入射する入射光の光量と、が異なるように配される
ことを特徴とするバックライト装置。
【請求項２】
前記第二の導光板は、
前記第一の導光板と等しい厚さの矩形板状をなしている
ことを特徴とする請求項１に記載のバックライト装置。
【請求項３】
前記複数の発光素子は、
その全てが電気的に直列に接続され、
前記駆動回路は、
直列に接続された前記複数の発光素子全ての発光量を一括で制御する
ことを特徴とする請求項１または請求項２に記載のバックライト装置。
【請求項４】
前記複数の発光素子は、
前記端部側面の延在方向に平行な複数の異なる軸に沿って配列される
ことを特徴とする請求項１から請求項３の何れか一項に記載のバックライト装置。
【請求項５】
前記複数の発光素子は、
前記端部側面の延在方向に沿って、千鳥状のパターンで配列されている
ことを特徴とする請求項４に記載のバックライト装置。
【請求項６】
前記複数の発光素子は、
前記端部側面の延在方向に平行な第一の軸に沿って配列される前記複数の発光素子の二つごとに、前記端部側面の延在方向に平行な軸であって前記第一の軸と異なる第二の軸に沿って前記発光素子が一つ配列されている
ことを特徴とする請求項４に記載のバックライト装置。
【請求項７】
請求項１から請求項６の何れか一項に記載のバックライト装置と、
前記第一の導光板の発光面からの出射光が入射されるように配される第一の液晶パネルと、
前記第二の導光板の発光面からの出射光が入射され、前記バックライト装置を、前記第一の液晶パネルとともに挟み込むように配される第二の液晶パネルと、
を備えることを特徴とする液晶表示システム。
【発明の詳細な説明】
【技術分野】
【０００１】
本発明は、バックライト装置及び液晶表示システムに関する。
【背景技術】
【０００２】
近年、液晶表示装置はその適用範囲が広がり、種々の液晶表示装置が提案されている。種々の液晶表示装置として、例えば、表面及び裏面で画像の表示を行う両面表示型液晶表示装置が提案されている。両面表示型液晶表示装置は、通常の片面表示型の液晶表示装置を２つ背面同士で張り合わせた構造を有し、通常、その表面及び裏面には同じサイズの液晶パネルが配置される。このような両面表示型液晶表示装置は、例えば、コンビニエンスストア等の店舗の店外及び店内での広告等に使用することができる。そして、このような両面表示型液晶表示装置に用いられる両面発光型バックライト装置も提案されている（特許文献１）。
【先行技術文献】
【特許文献】
【０００３】
【特許文献１】特開２００１−２９０４４５号公報
【発明の概要】
【発明が解決しようとする課題】
【０００４】
ここで上述した両面表示型液晶表示装置において、一方の表示画面が店舗の店外に、他方の表示画面が店内に向けて配される場合を考える。この場合、両面表示型液晶表示装置のそれぞれの表示画面が設置される環境の明るさが異なってくる。このように、それぞれの表示画面が異なる環境に設置された場合であっても、それぞれの視認性を高めた両面表示型液晶表示装置が望まれる。しかしながら、特許文献１に記載のバックライト装置は、一方の面への出射光の光量と、他方の面への出射光の光量と、が環境の明るさに合わせて異なっているような構成とはなっておらず、上述したようなニーズに対応することができないという課題があった。
【０００５】
また、異なる環境に設置される二つの表示画面それぞれの視認性を高めたい、という上述のニーズに対応すべく、輝度の異なるバックライト装置を二つ用意して上記両面表示型液晶表示装置を構成する、という手段も考えられる。しかしながら、このような両面表示型液晶表示装置は、二つのバックライト装置を要することから全体の構成が肥大化・複雑化し、製作コストが増加するという問題があった。
【０００６】
そこでこの発明は、上述の問題を解決することのできるバックライト装置及び液晶表示システムを提供することを目的としている。
【課題を解決するための手段】
【０００７】
本発明は、上述の課題を解決すべくなされたもので、光反射性を有する反射シートと、透光性を有し、矩形板状をなす第一の導光板と、透光性を有し、矩形板状なすとともに、前記反射シートを、前記第一の導光板とともに挟み込むように配置される第二の導光板と、前記第一の導光板及び前記第二の導光板の端部側面に対向するように、これら端部側面の延在方向に沿って配列される複数の発光素子と、前記複数の発光素子の発光量を制御する駆動回路と、を備え、前記複数の発光素子は、前記第一の導光板の端部側面から入射する入射光の光量と、前記第二の導光板の端部側面から入射する入射光の光量と、が異なるように配されることを特徴とするバックライト装置である。
本発明によれば、第一の導光板の端部側面から入射する入射光の光量と、第二の導光板の端部側面から入射する入射光の光量と、が異なるので、二つの発光面からの出射光の光量を異なるようなバックライト装置を作製することができる。
【０００８】
また本発明は、上述のバックライト装置と、前記第一の導光板の発光面からの出射光が入射されるように配される第一の液晶パネルと、前記第二の導光板の発光面からの出射光が入射され、前記バックライト装置を、前記第一の液晶パネルとともに挟み込むように配される第二の液晶パネルと、を備えることを特徴とする液晶表示システムである。
【発明の効果】
【０００９】
本発明によれば、全体の構成が簡素であって、かつ、一方の面からの出射光の光量と、他方の面からの出射光の光量と、が異なるバックライト装置を提供することができる。
【図面の簡単な説明】
【００１０】
【図１】本発明の一実施形態によるバックライト装置の構成を示す斜視図である。
【図２】本発明の一実施形態によるバックライト装置の構成を示す第一の側面模式図である。
【図３】本発明の一実施形態による発光部における発光素子の配置パターンを説明する第一の図である。
【図４】本発明の一実施形態によるバックライト装置の構成を示す第二の側面模式図である。
【図５】本発明の一実施形態によるバックライト装置の回路構成を示す回路図である。
【図６】本発明の一実施形態によるバックライト装置の効果を説明する第一の図である。
【図７】本発明の一実施形態によるバックライト装置の効果を説明する第二の図である。
【図８】本発明の一実施形態によるバックライト装置の効果を説明する第三の図である。
【図９】本発明の一実施形態によるバックライト装置の効果を説明する第四の図である。
【図１０】本発明の一実施形態による発光部における発光素子の配置パターンを説明する第二の図である。
【発明を実施するための形態】
【００１１】
以下、本発明の一実施形態によるバックライト装置を、図面を参照して説明する。
図１は本発明の一実施形態によるバックライト装置の構成を示す斜視図である。この図において、符号１はバックライト装置である。なお図１において、後述する第一の導光板１０ａの発光面１０１ａの法線方向の一方を＋Ｚ方向とし、その反対方向を−Ｚ方向とする。また後述する第一の導光板１０ａ、第二の導光板１０ｂそれぞれの端部側面１００ａ、１００ｂの延在方向の一方を＋Ｙ方向で表し、その反対方向を−Ｙ方向とする。そして＋Ｙ方向及び＋Ｚ方向と直交する方向の一方を＋Ｘ方向で表し、その反対方向を−Ｘ方向で表すこととする。
【００１２】
図１に示すように、バックライト装置１は、光反射性を有する反射シート１１と、反射シート１１を挟み込むように配される第一の導光板１０ａ、第二の導光板１０ｂ、及び発光部１２を備えている。ここで発光部１２は、複数の発光素子１２１ａ、１２２ａ、・・・、１２ｎａ及び１２１ｂ、１２２ｂ、・・・、１２ｎｂ（ｎは１以上の整数）で構成される。発光部１２における複数の発光素子１２１ａ、１２２ａ、・・・、１２ｎａ及び１２１ｂ、１２２ｂ、・・・、１２ｎｂの配置パターンについては後述する。
【００１３】
図１に示すように、第一の導光板１０ａ及び第二の導光板１０ｂは、透光性を有する材料（例えばアクリル樹脂）によって形成された矩形板状をなす部材である。第一の導光板１０ａ及び第二の導光板１０ｂは、その厚さｄが同一となるような形状をなしている。図１に示すように、第一の導光板１０ａ及び第二の導光板１０ｂの端部の側面の一つを符号１００ａ及び１００ｂで表す。これら端部側面１００ａ、１００ｂは、±Ｙ方向に延在している。また出射光Ｌ１が出射される第一の導光板１０ａの発光面を符号１０１ａで表し、出射光Ｌ２が出射される第二の導光板１０ｂの発光面を符号１０１ｂで表す。
発光素子１２１ａ〜１２ｎａ、１２１ｂ〜１２ｎｂは、いわゆるＬＥＤ（Ｌｉｇｈｔ  Ｅｍｉｔｔｉｎｇ  Ｄｉｏｄｅ）素子であり、自身に流れる電流に応じて所定の光を放つ素子である。
【００１４】
複数の発光素子１２１ａ〜１２ｎａ、１２１ｂ〜１２ｎｂは、第一の導光板１０ａの端部側面１００ａ及び第二の導光板１０ｂの端部側面１００ｂに対向するように、各端部側面１００ａ、１００ｂの延在方向（±Ｙ方向）に沿って配列されている。発光部１２から＋Ｘ方向に放たれた光は、端部側面１００ａ及び１００ｂに入射する。端部側面１００ａ、１００ｂから入射した入射光は、第一の導光板１０ａ、１０ｂそれぞれの発光面１０１ａ、１０１ｂから＋Ｚ方向、−Ｚ方向に出射される。このようにバックライト装置１は、一方の発光面１０１ａと、他方の発光面１０１ｂの両面で発光することを可能とする両面発光型のバックライト装置である。
【００１５】
図２は、本発明の一実施形態によるバックライト装置の構成を示す第一の側面模式図である。また図３は、本発明の一実施形態による発光部における発光素子の配置パターンを説明する第一の図である。
図２に示すように、バックライト装置１を＋Ｘ方向側から−Ｘ方向側に見たとき、発光素子１２１ａ〜１２ｎａ、１２１ｂ〜１２ｎｂは、±Ｙ方向に沿って千鳥状に配列される。発光素子１２１ａ〜１２ｎａ、１２１ｂ〜１２ｎｂは、±Ｙ方向に向かうに従って±Ｚ方向に交互にずれるように配列される。千鳥状の配列について、図３を用いてより詳細に説明すると、発光素子１２１ａ〜１２ｎａは、第一の軸（以下、「軸Ａ」と記載）に沿って一列に配列され、発光素子１２１ｂ〜１２ｎｂは、軸Ａと異なる第二の軸（以下、「軸Ｂ」と記載）に沿って一列に配列される。ここで軸Ａ、軸Ｂは±Ｙ方向（端部側面１００ａ、１００ｂの延在方向）に平行な直線である。すなわち、各発光素子１２１ａ〜１２ｎａ、１２１ｂ〜１２ｎｂは、軸Ａに沿って配列される発光素子１２１ａ〜１２ｎａと、軸Ｂに沿って配列される発光素子１２１ｂ〜１２ｎｂと、が±Ｙ方向に沿って交互に配されることで千鳥状のパターンを形成する。
【００１６】
また図２に示すように、バックライト装置１を＋Ｘ方向側から−Ｘ方向側に見たとき、軸Ａ（図３）に沿って配列される発光素子１２１ａ〜１２ｎａは、それぞれの素子本体が第一の導光板１０ａの端部側面１００ａと対向する面積と、第二の導光板１０ｂの端部側面１００ｂと対向する面積と、が同一となるように配されている。したがって、発光素子１２１ａ〜１２ｎａそれぞれから放たれる光は、端部側面１００ａ及び端部側面１００ｂに、それぞれ均等な比率で入射される。
【００１７】
一方、バックライト装置１を＋Ｘ方向側から−Ｘ方向側に見たとき、軸Ｂ（図３）に沿って配列される発光素子１２１ｂ〜１２ｎｂは、それぞれの素子本体が端部側面１００ａと対向する面積が、端部側面１００ｂと対向する面積よりも大きくなるように配されている。つまり全体として軸Ｂが軸Ａよりも＋Ｚ方向側に寄って配されている（図３）。したがって発光素子１２１ｂ〜１２ｎｂそれぞれから放たれる光は、端部側面１００ａと対向する面積が大きい分、端部側面１００ａのほうに多く入射する。
以上のような構成により、発光部１２全体（全発光素子１２１ａ〜１２ｎａ、１２１ｂ〜１２ｎｂ）から放たれる光は、端部側面１００ｂよりも端部側面１００ａのほうに多く入射する。
【００１８】
図４は、本発明の一実施形態によるバックライト装置の構成を示す第二の側面模式図である。
図４に示すように、端部側面１００ａから入射した入射光は、反射シート１１と発光面１０１ａとの間で反射を繰り返しながら＋Ｘ方向に進む。ここで、発光面１０１ａで反射する際、入射光の一部は発光面１０１ａから出射される。このようにして、端部側面１００ａから入射した入射光は、発光面１０１ａ全面から＋Ｚ方向に出射されることとなる（出射光Ｌ１）。同様に、端部側面１００ｂから入射した入射光は、発光面１０１ｂ全面から−Ｚ方向に出射される（出射光Ｌ２）。
【００１９】
ここで上述したように、本実施形態によるバックライト装置１においては、第一の導光板１０ａの端部側面１００ａから入射する入射光の光量の方が、第二の導光板１０ｂの端部側面１００ｂから入射する入射光の光量よりも大きくなる。すなわちバックライト装置１は、発光部１２全体から放たれる光のうち、第一の導光板１０ａの端部側面１００ａから入射する入射光の光量と、第二の導光板１０ｂの端部側面１００ｂから入射する入射光の光量と、が異なるように構成される。この結果、出射光Ｌ１の光量の方が出射光Ｌ２よりも大きくなり、バックライト装置１の両面に輝度差が生じることとなる。以上のような構成により、バックライト装置１は、一方の面からの出射光（出射光Ｌ１）の光量と、他方の面からの出射光（出射光Ｌ２）の光量と、がそれぞれで異なる両面発光型のバックライト装置となっている。
【００２０】
図５は、本発明の一実施形態によるバックライト装置の回路構成を示す回路図である。
図５に示す符号１３はＬＥＤ駆動回路である。ＬＥＤ駆動回路１３（図１〜図４には不図示）は、バックライト装置１に設けられ、発光部１２の発光制御を行う駆動回路である。発光部１２を構成する各発光素子１２１ａ〜１２ｎａ、１２１ｂ〜１２ｎｂは、図５に示すように直列接続されている。したがって、ＬＥＤ駆動回路１３は直列接続された発光素子１２１ａ〜１２ｎａ、１２１ｂ〜１２ｎｂへ送出する電流値をコントロールすることで、これら全ての発光量を一括で制御することができる。
【００２１】
制御部１３０は、ＦＥＴ１のＯＮ／ＯＦＦ制御を行うことで端子Ｖから供給される電力について所定の昇圧処理を行い、発光部１２に均一な電流が流れるように制御する。なお発光部１２に流れる電流は、検出抵抗Ｒ端における電圧を計測することで検知することができる。また制御部１３０は、ＦＥＴ２を所定のデューティ比でＯＮ／ＯＦＦ制御を行うことで、発光部１２の単位時間当たりの発光量を調整することができる。したがってバックライト装置１は、制御部１３０により、当該デューティ比に応じた調光制御が可能となる。なお制御部１３０は、汎用のマイクロコンピュータ等を用いて実現することができる。
【００２２】
以下、本実施形態によるバックライト装置１の効果について、他の構成によるバックライト装置３、４と対比しながら詳細に説明する。
【００２３】
図６、図７は、本発明に関連するバックライト装置の構成を説明する第一、第二の図である。
図６、図７に示すバックライト装置３は、本実施形態によるバックライト装置１と同様に、一方の面からの出射光の光量と、他方の面からの出射光の光量と、が異なる両面発光型のバックライト装置である。図６、図７はそれぞれバックライト装置３を、図２、図４と同一の方向からみた模式図である。
【００２４】
図６、図７に示すように、バックライト装置３は、反射シート３１、第一の導光板３０ａ、第二の導光板３０ｂ、発光素子３２１ａ、３２２ａ、・・・、３２ｎａ及び３２１ｂ、３２２ｂ、・・・、３２ｎｂを備えている。ここで反射シート３１、第一の導光板３０ａ及び第二の導光板３０ｂは、それぞれ、本実施形態によるバックライト装置１の反射シート１１、第一の導光板１０ａ及び第二の導光板１０ｂと同一の形状をなしている（図１参照）。
【００２５】
図６に示すように、バックライト装置３は、発光素子３２１ａ〜３２ｎａが第一の導光板３０ａの端部側面３００ａのみに対向し、発光素子３２１ｂ〜３２ｎｂが第二の導光板３０ｂの端部側面３００ｂのみに対向するように、二列に配列されている。したがって発光素子３２１ａ〜３２ｎａから放たれる光は専ら端部側面３００ａへ入射し、同様に、発光素子３２１ｂ〜３２ｎｂから放たれる光は専ら端部側面３００ｂへ入射する。
【００２６】
またバックライト装置３は、発光素子３２１ａ〜３２ｎａの組と、発光素子３２１ｂ〜３２ｎｂの組が直列接続されておらず、それぞれ独立した駆動回路で制御される態様となっている。すなわち図５に示すようなＬＥＤ駆動回路１３を、発光素子３２１ａ〜３２ｎａの組と、発光素子３２１ｂ〜３２ｎｂの組のそれぞれについて二つ有する構成となっている。このようにすることで、バックライト装置３は、発光素子３２１ａ〜３２ｎａの発光量、及び、発光素子３２１ｂ〜３２ｎｂの発光量のそれぞれを独立して制御（調光）することができる。したがってバックライト装置３は、図７に示すように、発光素子３２１ａ〜３２ｎａ及び発光素子３２１ｂ〜３２ｎｂそれぞれの発光量を異なるように制御することで、一方の面（発光面３０１ａ）からの出射光Ｌ１の光量と、他方の面（発光面３０１ｂ）からの出射光Ｌ２の光量と、がそれぞれで異なる両面発光型のバックライト装置を実現できる。
【００２７】
しかしながらバックライト装置３の構成によれば、上述したように、発光素子３２１ａ〜３２ｎａ及び発光素子３２１ｂ〜３２ｎｂの光量を独立して制御（調光）するためのＬＥＤ駆動回路１３（図５）を二つ要することとなる。そうするとバックライト装置３は、二つのＬＥＤ駆動回路１３の実装スペースを要するため全体の構成が大型化し、さらに回路構成が複雑化するため製作コストが増加する。これに対し、本実施形態によるバックライト装置１によれば、発光素子１２１ａ〜１２ｎａ、１２１ｂ〜１２ｎｂは全て直列接続されるとともに、ＬＥＤ駆動回路１３（図５）は、発光素子１２１ａ〜１２ｎａ、１２１ｂ〜１２ｎｂの全てに対して一つのみ搭載される態様であるから、全体としてバックライト装置３よりも簡素な構成となる。
以上より、本実施形態によるバックライト装置１によれば、全体の構成が簡素であって、かつ、一方の面からの出射光の光量と、他方の面からの出射光の光量と、がそれぞれで異なるようなバックライト装置を提供できる。
【００２８】
図８、図９は、本発明に関連するバックライト装置の構成を説明する第三、第四の図である。
図８、図９に示すバックライト装置４は、本実施形態によるバックライト装置１と同様に、一方の面からの出射光の光量と、他方の面からの出射光の光量と、が異なる両面発光型のバックライト装置である。図８、図９はそれぞれバックライト装置４を、図２、図４と同一の方向からみた模式図である。
【００２９】
図８、図９に示すように、バックライト装置４は、反射シート４１、第一の導光板４０ａ、第二の導光板４０ｂ、発光素子４２１、４２２、・・・、４２ｎを備えている。ここで反射シート４１、第一の導光板４０ａ及び第二の導光板４０ｂは、それぞれ、本実施形態によるバックライト装置１の反射シート１１、第一の導光板１０ａ及び第二の導光板１０ｂと略同一の形状をなしている（図１参照）。ただしバックライト装置４は、図８に示すように、第一の導光板４０ａの厚さｄａのほうが、第二の導光板４０ｂの厚さｄｂよりも大きい（ｄａ＞ｄｂ）点でバックライト装置１と異なっている。
【００３０】
図８に示すように、バックライト装置４は、発光素子４２１〜４２ｎが第一の導光板４０ａの端部側面４００ａ及び第二の導光板４０ｂの端部側面４００ｂそれぞれに対向するように構成されている。したがって発光素子４２１〜４２ｎから放たれる光は端部側面４００ａ及び４００ｂへ入射する。
ここで図８に示すように、発光素子４２１〜４２ｎは、それぞれの本体が第一の導光板４０ａの端部側面４００ａと対向する面積が、第二の導光板４０ｂの端部側面４００ｂと対向する面積よりも大きくなるように配されている。したがって発光素子４２１〜４２ｎそれぞれから放たれる光は、端部側面４００ａと対向する面積が大きい分、端部側面４００ｂよりも端部側面４００ａのほうに多く入射する。したがって図９（ａ）に示すように、発光素子４２１〜４２ｎの入射量が第一の導光板４０ａ、第二の導光板４０ｂそれぞれで異なる。このようにすることで、一方の面からの出射光（出射光Ｌ１）の光量と、他方の面からの出射光（出射光Ｌ２）の光量と、がそれぞれで異なる両面発光型のバックライト装置を実現できる。
またバックライト装置４は、発光素子４２１〜４２ｎ全てが直列接続されるとともに、図５に示すようなＬＥＤ駆動回路１３を発光素子４２１〜４２ｎについて一つのみ有する構成となっているので、回路実装の面でバックライト装置３に比べて簡素な構成となっている。
【００３１】
ここで図９（ａ）、（ｂ）を参照しながら、バックライト装置４において第二の導光板４０ｂを、第一の導光板４０ａよりも薄くする（ｄａ＞ｄｂ）理由について説明する。
第一の導光板４０ａの厚さｄａと第二の導光板４０ｂの厚さｄｂが同一であった場合の例を図９（ｂ）に示している。この場合、図９（ｂ）に示すように、第二の導光板４０ｂの端部側面４００ｂの面積に対して発光素子４２１〜４２ｎの本体と対向する面積の比率が小さく、かつ、その対向する部分が全体として＋Ｚ方向側に偏っている。よって発光素子４２１〜４２ｎと、第二の導光板４０ｂの発光面４０１ｂとの間隔が、図９（ａ）の場合と比較して開いた状態となっている。ここで発光素子４２１〜４２ｎから端部側面４００ｂに入射した光は反射を繰り返しながら＋Ｘ方向に進行する。しかし入射した直後の光は、その入射した位置と発光面４０１ｂとの間隔が開いているため、発光面４０１ｂに到達する光量が少なくなる。そうすると、発光面４０１ｂの端部側面４００ｂに近い領域から出射される光の光量が減少し、発光面４０１ｂに輝度ムラが生じてしまう。
【００３２】
このような輝度ムラを軽減するため、図９（ａ）に示すように、発光素子４２１〜４２ｎと、第二の導光板４０ｂの発光面４０１ｂとの間隔が開きすぎないようにする必要がある。すなわち、発光素子４２１〜４２ｎの大きさに合わせて第二の導光板４０ｂの厚さを薄くする必要が生じる。しかしこのようにすると、バックライト装置４を作製するための部品として、二種類の厚さ（厚さｄａ、ｄｂ）の導光板（第一の導光板４０ａ、第二の導光板４０ｂ）を用意しなければならない。そのため、バックライト装置４の製作コストを増加させてしまう。また出射光Ｌ１と出射光Ｌ２との輝度比を所望通りにするためには、第一の導光板４０ａ、第二の導光板４０ｂの造形精度（厚さｄａ、ｄｂの精度）や組み立て精度が要求され、やはり製作コストを増加させることになる。
【００３３】
これに対し、本実施形態によるバックライト装置１は、一種類の厚さ（厚さｄ）の導光板（第一の導光板１０ａ、第二の導光板１０ｂ）のみで構成される。また、図２〜図４に示すように、バックライト装置１の発光素子１２１ａ〜１２ｎａ、１２１ｂ〜１２ｎｂは、二本の異なる軸に沿って千鳥状に配列されている。このようにすれば、軸Ｂに沿って＋Ｚ方向側に配列された発光素子１２１ｂ〜１２ｎｂは第二の導光板１０ｂの発光面１０１ｂとの間隔が開いてしまう一方で、軸Ａに沿って配列された発光素子１２１ａ〜１２ｎａは発光面１０１ｂとの間隔が広がらないように配されることとなる。よって、第一の導光板１０ａ、第二の導光板１０ｂの厚さを同一としても発光面１０１ｂに発生する輝度ムラを軽減することができる。
【００３４】
以上より、本実施形態によるバックライト装置１によれば、一方の面からの出射光の光量と、他方の面からの出射光の光量と、がそれぞれで異なるような両面発光型バックライト装置であって、全体の構成を簡素とし、さらに輝度ムラの発生が抑制されたバックライト装置を提供できる。
【００３５】
図１０は、本発明の一実施形態による発光部における発光素子の配置パターンを説明する第二の図である。
本実施形態によるバックライト装置１は、発光素子１２１ａ〜１２ｎａ、１２１ｂ〜１２ｎｂが千鳥状に配列されることを説明したが、本実施形態によるバックライト装置１は、この態様に限定されない。すなわち、軸Ａに沿って配列された発光素子１２１ａ〜１２ｎａと、軸Ｂに沿って配列された発光素子１２１ｂ〜１２ｍｂ（ｍは２以上の整数）と、が異なる数で配列されていてもよい。例えば図１０に示すように、軸Ａに沿って配列される発光素子１２１ａ〜１２ｎａの二つごとに、軸Ｂに沿って発光素子１２１ｂ〜１２ｍｂが一つ配列されている態様であってもよい。発光素子１２１ａ〜１２ｎａの個数ｎと、発光素子１２１ｂ〜１２ｍｂの個数ｍと、の比率を変更すると、これに応じて発光面１０１ａと発光面１０１ｂとの輝度比も変化する。したがってバックライト装置１は、発光面１０１ａと発光面１０１ｂとの輝度比を、発光素子１２１ａ〜１２ｎａの個数ｎ、発光素子１２１ｂ〜１２ｍｂの個数ｍによって変更することができる。よって、バックライト装置１は、バックライト装置４と比較して、発光面１０１ａと発光面１０１ｂとの輝度比を、容易に所望通りに設定することが可能となる。
【００３６】
本実施形態によるバックライト装置１を備える両面表示型の液晶表示システムは、第一の導光板１０ａの発光面１０１ａからの出射光が入射されるように第一の液晶パネルを配置し、同様に第二の導光板１０ｂの発光面１０１ｂからの出射光が入射されるように第二の液晶パネルを配置して構成する。この液晶表示システムは、バックライト装置１の出射光量に応じて第一の液晶パネルにおける輝度と、第二の液晶パネルにおける輝度が異なる構成となる。よって例えば、第一の液晶パネルにおける輝度が第二の液晶パネルにおける輝度よりも大きい場合には、この液晶表示システムの所持者は、当該液晶表示システムを第一の液晶パネルを店外（明るい環境）に向けて、第二の液晶パネルを店内（暗い環境）に向けるように設置する。このようにすることで、店外、店内両方からの視認性を高めた液晶表示システムを実現することができる。
【符号の説明】
【００３７】
１・・・バックライト装置
１０ａ・・・第一の導光板
１０ｂ・・・第二の導光板
１１・・・反射シート
１２・・・発光部
１２１ａ、１２２ａ、・・・、１２ｎａ・・・発光素子
１２１ｂ、１２２ｂ、・・・、１２ｎｂ・・・発光素子
１３・・・ＬＥＤ駆動回路
１３０・・・制御部
【図１】
2014207123.tif 000003
【図２】
2014207123.tif 000004
【図３】
2014207123.tif 000005
【図４】
2014207123.tif 000006
【図５】
2014207123.tif 000007
【図６】
2014207123.tif 000008
【図７】
2014207123.tif 000009
【図８】
2014207123.tif 000010
【図９】
2014207123.tif 000011
【図１０】
2014207123.tif 000012